(57)【要約】【課題】光源により光ファイバー束の基端部分に光を照射し、個々の光ファイバーを発光させて充分な装飾的効果を得ると共に、雨水等の侵入を防いで、充分な防水性を備えた装飾用照明装置を提供する。【解決手段】本考案に係る装飾用照明装置は、複数本の光ファイバー１を纏めた光ファイバー束２と、光ファイバー束２を発光させる光源３を備えている。この光源３は、光ファイバー束２の基端部分４に光を照射して、個々の光ファイバー１を発光させる。また、光源３をソケット５内に配置し、ソケット５における先端側の開口部分６に、抜け止め部材７を介して光ファイバー束２の基端部分４を固定している。【選択図】　　　　　図１
0003097866.tif 000002
【実用新案登録請求の範囲】
【請求項１】
複数本の光ファイバーを纏めた光ファイバー束と、光ファイバー束を発光させる光源を備えたことを特徴とする装飾用照明装置。
【請求項２】
光源は、光ファイバー束の基端部分に光を照射して、個々の光ファイバーを発光させる請求項１に記載の装飾用照明装置。
【請求項３】
光源をソケット内に配置し、ソケットにおける先端側の開口部分に、光ファイバー束の基端部分を固定した請求項１または２に記載の装飾用照明装置。
【請求項４】
光源を配置しているソケットに、抜け止め部材を介して光ファイバー束の基端部分を固定した請求項３に記載の装飾用照明装置。
【請求項５】
光源は、電線に接続したリード端子を備えている電球と、リード端子間・電線間に介在するインシュレーターから成る請求項１乃至４のいずれかに記載の装飾用照明装置。
【請求項６】
光源は、電球の頭頂部を除く周側面・インシュレーター・電線を覆うシュリンクチューブを備えている請求項５に記載の装飾用照明装置。
【請求項７】
光源の周囲に、充填剤を注入した請求項１乃至６のいずれかに記載の装飾用照明装置。
【請求項８】
光源の周囲に注入する充填剤は、シリコンまたは接着剤である請求項７に記載の装飾用照明装置。
【請求項９】
光源は、発光ダイオード（ＬＥＤ）である請求項１乃至８のいずれかに記載の装飾用照明装置。
【請求項１０】
光源の基端部分を基礎部材に固定し、ソケットの下端部分に基礎部材を保持する孔を設け、基礎部材をソケットの孔に嵌合させた請求項３乃至９のいずれかに記載の装飾用照明装置。
【請求項１１】
光源を固定した基礎部材の外周面に凹凸部を設け、ソケットの孔の内周面にも凹凸部を設け、基礎部材とソケットの孔の凹凸部を嵌合させて防水構造としている請求項１０に記載の装飾用照明装置。
【請求項１２】
所定の長さのコードに複数の光源を配し、複数の光源それぞれが光ファイバー束を備えている請求項１乃至１１のいずれかに記載の装飾用照明装置。
【考案の詳細な説明】
【０００１】
【考案の属する技術分野】
本考案は、例えば、クリスマスツリーや種々のクリスマスイルミネーション等に使用される装飾用照明装置に関するものである。
【０００２】
【従来の技術】
従来より、クリスマスツリーや種々のクリスマスイルミネーション等に使用される装飾用照明装置として、種々の構造のものが提案されている。この装飾用照明装置としては、例えば、電線を接続している合成樹脂製のソケットに、小型の豆電球等を装着したものが一般的である。
【０００３】
【考案が解決しようとする課題】
しかしながら、このようなソケットに豆電球等を装着した従来の装飾用照明装置では、光源としての豆電球が一般的に光るのみであるため、充分な装飾的効果が得られなかった。
【０００４】
また、ソケットに豆電球等を装着した状態で強い風雨に長時間さらされると、雨水等が装飾用照明装置内に侵入してしまうことがあった。
【０００５】
そこで本考案は、叙上のような従来存した問題点に鑑み創案されたもので、光源により光ファイバー束の基端部分に光を照射し、個々の光ファイバーを発光させて充分な装飾的効果を得ると共に、雨水等の侵入を防いで、充分な防水性を備えた装飾用照明装置を提供することを目的とする。
【０００６】
【課題を解決するための手段】
上述した目的を達成するため、本考案に係る装飾用照明装置は、複数本の光ファイバーを纏めた光ファイバー束と、光ファイバー束を発光させる光源を備えたことで、上述した課題を解決した。
【０００７】
また、光源は、光ファイバー束の基端部分に光を照射して、個々の光ファイバーを発光させることで、同じく上述した課題を解決した。
【０００８】
さらに、光源をソケット内に配置し、ソケットにおける先端側の開口部分に、光ファイバー束の基端部分を固定したことで、同じく上述した課題を解決した。
【０００９】
また、光源を配置しているソケットに、抜け止め部材を介して光ファイバー束の基端部分を固定したことで、同じく上述した課題を解決した。
【００１０】
加えて、光源は、電線に接続したリード端子を備えている電球と、リード端子間・電線間に介在するインシュレーターから成ることで、同じく上述した課題を解決した。
【００１１】
また、光源は、電球の頭頂部を除く周側面・インシュレーター・電線を覆うシュリンクチューブを備えていることで、同じく上述した課題を解決した。
【００１２】
この他、光源の周囲に、充填剤を注入したことで、同じく上述した課題を解決した。
【００１３】
また、光源の周囲に注入する充填剤は、シリコンまたは接着剤であることで、同じく上述した課題を解決した。
【００１４】
さらに、光源は、発光ダイオード（ＬＥＤ）であることで、同じく上述した課題を解決した。
【００１５】
また、光源の基端部分を基礎部材に固定し、ソケットの下端部分に基礎部材を保持する孔を設け、基礎部材をソケットの孔に嵌合させたことで、同じく上述した課題を解決した。
【００１６】
加えて、光源を固定した基礎部材の外周面に凹凸部を設け、ソケットの孔の内周面にも凹凸部を設け、基礎部材とソケットの孔の凹凸部を嵌合させて防水構造としていることで、同じく上述した課題を解決した。
【００１７】
また、所定の長さのコードに複数の光源を配し、複数の光源それぞれが光ファイバー束を備えていることで、同じく上述した課題を解決した。
【００１８】
【考案の実施の形態】
以下に、図面を参照して本考案の第１の実施の形態を説明する。本考案の第１の実施の形態における装飾用照明装置は、図１・図２に示すように、複数本の光ファイバー１を纏めた光ファイバー束２と、光ファイバー束２を発光させる光源３を備えている。この光源３は、図１に示すように、光ファイバー束２の基端部分４に光を照射して、個々の光ファイバー１を発光させる構成となっている。
【００１９】
具体的には、例えば、発光ダイオード（ＬＥＤ）等の光源３を、合成樹脂部材等を用いて一体成形された筒状のソケット５内に配置し、ソケット５における先端側の開口部分６に、光ファイバー束２の基端部分４を固定している。
【００２０】
この光ファイバー束２の基端部分４は、所定の抜け止め部材７を介してソケット５に固定されている。抜け止め部材７は、図２に示すように、ソケット５の開口部分６に進入する筒部８と、筒部８の一端に連設してソケット５の開口部分６に係止するフランジ部９とから成る。そして、図２・図５（ａ）に示すように、光ファイバー束２の基端部分４を筒部８内に押し込み、必要に応じて接着剤を塗布して光ファイバー束２の基端部分４を筒部８に固定している。また、光ファイバー束２の基端部分４は、接着剤が予め塗布されて、個々の光ファイバー１がバラバラにならないように固定されている。このようにして、光ファイバー束２の基端部分４は、抜け止め部材７を介してソケット５の開口部分６からソケット５内に進入した状態でソケット５に固定されている。
【００２１】
尚、光ファイバー束２の基端部分４は、図２に示すように、筒部８の下端部と同列となるように固定してもよいし、また、図３・図５（ｂ）に示すように、光ファイバー束２の基端部分４が筒部８から突出した状態となるように固定してもよい。
【００２２】
光ファイバー１を発光させる光源３は、図２に示すように、その基端部分４を円柱状の基礎部材１０に固定している。一方、ソケット５の下端部分に基礎部材１０を保持する孔１１を設け、基礎部材１０をソケット５の孔１１に嵌合させて、光源３をソケット５内に固定している。このようにして、光源３は、図１に示すように、光ファイバー束２の基端部分４に向けて光を照射できるよう、光ファイバー束２の基端部分４に向かい合うようにソケット５に固定されている。
【００２３】
尚、光源３は、図２に示すように、光ファイバー束２の基端部分４との間に若干の空間が生じるように配置してもよいし、また、図３に示すように、光ファイバー束２の基端部分４と接するように配置してもよい。
【００２４】
また、図２に示すように、基礎部材１０の外周面に凹凸部１２Ａを設け、ソケット５の孔１１の内周面にも凹凸部１２Ｂを設け、基礎部材１０とソケット５の孔１１の凹凸部１２Ａ・１２Ｂを嵌合させることで、防水構造としている。さらに、ソケット５内における光源３の周囲（空間部分）に、透明なシリコンや接着剤等の充填剤１３を注入して、一層の防水性を確保している。
【００２５】
尚、基礎部材１０の外周面に雄ネジ部（雌ネジ部）を設け、ソケット５の孔１１の内周面に雌ネジ部（雄ネジ部）を設け、この雄ネジ部（雌ネジ部）と雌ネジ部（雄ネジ部）を螺合させて防水構造としてもよい。
【００２６】
この他、充填剤１３については、光ファイバー束２の基端部分４を固定している状態のソケット５内に充填剤１３を予め注入しておき、充填剤１３内に光源３が入り込むようにソケット５に光源３を固定すると、装飾用照明装置の製造が容易となる。同様に、ソケット５に光源３を固定している状態のソケット５内に充填剤１３を予め注入しておき、ソケット５の開口部分６に光ファイバー束２の基端部分４を固定してもよい。
【００２７】
図３乃至図５には、本考案の第２の実施の形態が示されている。
【００２８】
尚、第１の実施の形態における構成と略同じ部分には、同一の符号を付すことで、その詳細な説明を省略する。
【００２９】
第２の実施の形態における装飾用照明装置の光源３は、図３・図４（ａ）〜（ｃ）に示すように、電線１４に接続したリード端子１５を備えている電球１６と、リード端子１５間・電線１４間に介在するインシュレーター１７から成る。また、図５（ｃ）に示すように、電球１６の頭頂部を除く周側面・インシュレーター１７・電線１４を覆うシュリンクチューブ１８を備えている。
【００３０】
すなわち、図４（ａ）に示すように、短尺な円柱形状の電球１６の下側に、二股状にリード端子１５と電線１４を配している。リード端子１５間・電線１４間に介在するインシュレーター１７は、図３・図４（ｂ）（ｃ）に示すように、ポリ塩化ビニル（ＰＶＣ）等を素材とした射出成型により、所定の厚みを有する縦長の短形状に形成されている。このインシュレーター１７の周面には、電球１６・リード端子１５・電線１４を保持する凹溝を設けている。インシュレーター１７の凹溝は、インシュレーター１７の頭部に設けた電球１６用の凹部と、インシュレーター１７の両側に設けた、リード端子１５と電線１４を保持する縦溝から成る。そして、図４（ｃ）に示すように、インシュレーター１７の凹部に電球１６を保持させると、電球１６の頭頂部が若干上方に突出した状態となる。さらに、図５（ｃ）（ｄ）に示すように、インシュレーター１７の上から、電球１６の頭頂部を除いてシュリンクチューブ１８で被覆し、これをソケット５内に配置する。このとき、電線１４は、図３に示すように、ソケット５の縮径している孔１１から引き出され、防水性が確保されている。
【００３１】
この他、装飾用照明装置の応用例として、図６に示すように、所定の長さのコード１９に、ソケット５を介して複数の光源３を配し、複数の光源３それぞれが光ファイバー束２を備えるように構成してもよい。このとき、コントロールボックス２０の操作により、光ファイバー１を発光させる色や、点滅の時間間隔等について、複数のパターンを設定することができる。
【００３２】
【考案の効果】
本考案に係る装飾用照明装置は、複数本の光ファイバー１を纏めた光ファイバー束２と、光ファイバー束２を発光させる光源３を備えたことから、光源３による光ファイバー束２の発光により、充分な装飾的効果が得られる。例えば、光源３により個々の光ファイバー１の先端のみを発光させたり、光ファイバー１の全体を発光させることができ、クリスマスイルミネーション等として、幻想的できれいな面白味のある装飾を可能とし、これを見る者に強いインパクトを与えることができる。
【００３３】
また、光源３は、光ファイバー束２の基端部分４に光を照射するため、１つの光源３により複数本の光ファイバー１を効率良く発光させることができる。
【００３４】
さらに、光源３をソケット５内に配置し、ソケット５における先端側の開口部分６に、光ファイバー束２の基端部分４を固定したので、光源３が発する光を光ファイバー束２の基端部分４に集中的に照射することとなり、光源３からの光を効率良く個々の光ファイバー１に伝えることができる。
【００３５】
また、光源３を配置しているソケット５に、抜け止め部材７を介して光ファイバー束２の基端部分４を固定しているため、光ファイバー束２がソケット５から抜け落ちることもない。
【００３６】
加えて、光源３は、電線１４に接続したリード端子１５を備えている電球１６と、リード端子１５間・電線１４間に介在するインシュレーター１７から成るので、このインシュレーター１７により、電球１６におけるリード端子１５それぞれ、電線１４それぞれの離隔状態を確実に維持できる。
【００３７】
また、光源３は、電球１６の頭頂部を除く周側面・インシュレーター１７・電線１４をシュリンクチューブ１８により覆うため、シュリンクチューブ１８内への雨水等の侵入を確実に防いで、装飾用照明装置の防水性を確保している。このとき、電球１６の頭頂部は、開放された状態となっているため、光ファイバー束２の基端部分４に光を充分に照射することができる。
【００３８】
この他、光源３の周囲に、充填剤１３を注入したときには、光源３の周囲が充填剤１３により隙間なく覆われた状態となり、装飾用照明装置の防水性が一層確保される。
【００３９】
また、光源３の周囲に注入する充填剤１３が、シリコンまたは接着剤であるときは、装飾用照明装置の堅牢性も充分に確保できる。
【００４０】
さらに、光源３が、発光ダイオード（ＬＥＤ）であるときは、僅かな電力により発光ダイオード（ＬＥＤ）を明るく発光させて、その光の照射により光ファイバー束２をきれいに発光させることができる。
【００４１】
また、光源３の基端部分４を基礎部材１０に固定し、ソケット５の下端部分に基礎部材１０を保持する孔１１を設け、基礎部材１０をソケット５の孔１１に嵌合させることにより、ソケット５への光源３の取り付けが極めて容易となる。
【００４２】
加えて、光源３を固定した基礎部材１０の外周面に凹凸部１２Ａを設け、ソケット５の孔１１の内周面にも凹凸部１２Ｂを設け、基礎部材１０とソケット５の孔１１の凹凸部１２Ａ・１２Ｂを嵌合させたときは、ソケット５内へ雨水等が侵入する事態を防いで、装飾用照明装置の防水性を確保している。
【００４３】
また、所定の長さのコード１９に複数の光源３を配し、複数の光源３それぞれが光ファイバー束２を備えているときは、このコード１９をクリスマスツリーに巻き付けたり、家の壁面等に吊り下げたりすることで、発光する光ファイバー束２を自由に配置して、幻想的できれいな面白味のある装飾を可能としている。
【図面の簡単な説明】
【図１】光源を内蔵しているソケットの先端側の開口部分に、光ファイバー束の基端部分を固定した第１の実施の形態における装飾用照明装置の構成を示した斜視図である。
【図２】光源を内蔵しているソケットの先端側の開口部分に、光ファイバー束の基端部分を固定し、充填剤を注入した第１の実施の形態における装飾用照明装置の構成を示した断面図である。
【図３】リード端子間・電線間にインシュレーターを介在させた第２の実施の形態における装飾用照明装置の構成を示した断面図である。
【図４】第２の実施の形態における装飾用照明装置の構成を示したもので、（ａ）は二股状にリード端子と電線を配した電球の側面図、（ｂ）はインシュレーターの側面図、（ｃ）はリード端子間・電線間にインシュレーターを介在させた状態の側面図である。
【図５】第２の実施の形態における装飾用照明装置の構成を示したもので、（ａ）は抜け止め部材に光ファイバー束の基端部分を入れる状態の分解斜視図、（ｂ）は抜け止め部材に光ファイバー束の基端部分を入れた状態の斜視図、（ｃ）は電球の周側面・インシュレーター・電線をシュリンクチューブにより覆った状態の斜視図、（ｄ）はシュリンクチューブにより覆った電球等をソケットに入れる状態の斜視図である。
【図６】装飾用照明装置の応用例を示したもので、所定の長さのコードに、ソケットを介して複数の光源を配し、複数の光源それぞれが光ファイバー束を備えている構成を示した一部省略の側面図である。
【符号の説明】
１…光ファイバー　　　　　　　　２…光ファイバー束
３…光源　　　　　　　　　　　　４…基端部分
５…ソケット　　　　　　　　　　６…開口部分
７…抜け止め部材　　　　　　　　８…筒部
９…フランジ部　　　　　　　　１０…基礎部材
１１…孔　　　　　　　　　　　１２Ａ…凹凸部
１２Ｂ…凹凸部　　　　　　　　　　１３…充填剤
１４…電線　　　　　　　　　　　１５…リード端子
１６…電球　　　　　　　　　　　１７…インシュレーター
１８…シュリンクチューブ　　　　１９…コード
２０…コントロールボックス
【図１】
0003097866.tif 000003
【図２】
0003097866.tif 000004
【図３】
0003097866.tif 000005
【図４】
0003097866.tif 000006
【図５】
0003097866.tif 000007
【図６】
0003097866.tif 000008